(57)【要約】【課題】  シートスルータイプの画像読取装置において、光源の消費電流の低減と、メモリに蓄積されるデータの低減を両立させる。【解決手段】  シートスルータイプの画像読取装置において、原稿に空白部分が存在するとき、前記ラインセンサで空白部分を読み取るときに、前記光源を1ラインおきに点灯と消灯の間欠点灯を行う。【選択図】  図１
2007074533.tif 000002
【特許請求の範囲】
【請求項１】
原稿を搬送する原稿搬送手段と、原稿に光をあてる光源と、前記光源の反射光の強弱を読み取って光電変換するラインセンサを持つ、シートスルータイプの画像読取装置において、
原稿に空白部分が存在するとき、前記ラインセンサで空白部分を読み取るときに、前記光源を1ラインおきに点灯と消灯の間欠点灯を行うことを特徴とする、画像読取装置。
【請求項２】
前記光源が間欠点灯を行っているときに、前記ラインセンサによって読み取られた画像を無効化することを特徴とする、請求項1に記載の画像読取装置。
【請求項３】
前記光源が間欠点灯を行っているとき、点灯時に読み取った画像が空白ラインかどうかを判断し、空白ラインではない場合、前記搬送手段によって原稿を逆搬送し、間欠点灯を停止して通常点灯で原稿を読み取りを行うことを特徴とする、請求項1又は請求項２のいずれかに記載の画像読取装置。
【請求項４】
通常読取動作をしている時に、空白ラインが所定のライン数続いた時、間欠点灯に移行することを特徴とする、前記請求項1ないし請求項３のいずれかに記載の画像読取装置。
【発明の詳細な説明】
【技術分野】
【０００１】
この発明は、原稿を搬送し、読み取りデバイスで画像を読み取る、シートスルー方式の画像読取装置に関するものである。
【背景技術】
【０００２】
原稿を搬送しながら原稿を読み取るシートスルータイプのファクシミリ装置は、小型が容易のため、家庭用ファクシミリ装置を中心に一般的に普及している。これらのファクシミリ装置には、読み取られた画像データを、通信部を介して相手先の通信端末装置に送信したり、自身の記憶手段をなす画像メモリに蓄積したりするように制御する制御手段を備えている。
【０００３】
上記シートスルータイプのファクシミリ装置は原稿に光をあて、その反射光の強弱をCMOSイメージセンサを使って1ラインずつ検出し、これをデジタル値に変換し、画像データとして取り込む仕組みである。読み取りデバイスとしては、光源のLEDと1ライン分のセンサから構成される、密着型イメージセンサ(CIS)がよく使用される。
【０００４】
ところで、原稿上には、例えば余白のように、空白ラインが複数にわたって連続し、しかもその連続した空白ラインが画像情報としてほとんど意味を持たない空白部分が存在することがある。ここで、前記従来の通信端末装置においては、原稿の読み取りに際して、そのような空白部分であっても、白ランが連続しているものとして読み取って、送信または蓄積するようになっている。このため、送信時間が長くかかったり、画像メモリを無駄に消費したりするという問題があった。
【０００５】
この問題を解決するために、特開平11-069098の通信端末装置では、読み取られた空白ラインの読み取られたデータを、ユーザーの指示により無効にすることにより、送信時間短縮や画像メモリの無駄を少なくしている。
【特許文献１】特開平11-069098号公報
【発明の開示】
【発明が解決しようとする課題】
【０００６】
しかしながら、従来技術では、白ラインも一旦は読み取らなければ白ラインと判別できず、読み取り時には、光源のLEDはすべての空白ラインでも点灯しているため、消費電流が無駄になるという問題があった。
【０００７】
本発明の目的は、シートスルータイプの画像読取装置において、光源の消費電流の低減と、メモリに蓄積されるデータの低減を両立させることである。
【課題を解決するための手段】
【０００８】
前記問題を解決するために、第1の発明では、本原稿を搬送する原稿搬送手段と、原稿に光をあてる光源と、前記光源の反射光の強弱を読み取って光電変換するラインセンサを持つ、シートスルータイプの画像読取装置において、
原稿に空白部分が存在するとき、前記ラインセンサで空白部分を読み取るときに、前記光源を1ラインおきに点灯と消灯の間欠点灯を行うことを特徴する。
【０００９】
また、第２の発明では、前記光源が間欠点灯を行っているときに、前記ラインセンサによって読み取られた画像を無効化することを特徴とする。
【００１０】
第３の発明では、前記光源が間欠点灯を行っているとき、点灯時に読み取った画像が空白ラインかどうかを判断し、空白ラインではない場合、前記搬送手段によって原稿を逆搬送し、間欠点灯を停止して通常点灯で原稿を読み取りを行うことを特徴とする。
【００１１】
第４の発明では、通常読取動作をしている時に、空白ラインが所定のライン数続いた時、間欠点灯に移行することを特徴とする。
【発明の効果】
【００１２】
本発明では、シートスルータイプの画像読取装置において、空白ラインでは画像読取部の光源のLEDを1ラインおきに点灯させ、黒画素があった場合にはモータを反転させてノーマルモードでの読み取りを行う。これにより、空白ラインでのＬＥＤ点灯における消費電流を減らすことができ、かつ、画像メモリの節約を図ることができる。
【発明を実施するための最良の形態】
【００１３】
以下、図面を参照して本発明を詳細に説明する。
【００１４】
図1は本発明の一実施例であるインクジェットファクシミリ装置のブロック図である。
【００１５】
ファクシミリ本体１００は以下のように構成されている。
【００１６】
１０１は画像処理装置全体を制御する制御部であり、システムバスを介してファクシミリ装置全体を制御する。
【００１７】
１０２は動作用インストラクション群等のプログラムコード，オペレーティングシステム（ＯＳ）プログラムコード，初期値データ，テーブルデータなどを格納したＲＯＭである。
【００１８】
１０３は画像バッファ及び画像メモリ等に使用されるＲＡＭであり、ファクシミリ送受信する際の画像データを一時的に保持するバッファとして使用される。また、受信された画像データをファイルとして蓄積するためのメモリとして使用される。ＲＡＭ１０３はバッテリーバックアップによって停電などの不慮の障害などから保護されている。
【００１９】
１０４は操作表示部であり、ダイヤルするときやデータを登録、設定するときなどに用いるテンキー、各種機能を利用するためのファンクションキー、電話番号等を登録しておきワンタッチでダイヤルするためなどに用いるワンタッチキー、送信や受信、コピーなどを始めるときに用いるスタートキー、送信、登録や設定などの動作を中止したいときに用いるストップキー等の各種キースイッチ、通信状況の確認やデータの登録、設定、確認メッセージなど各種メッセージの表示を行うＬＣＤ、通信中に点灯するランプ、各種エラー時に点灯するランプ等の各種ＬＥＤ等により構成され、装置の状態、発呼する相手の電話番号、時刻情報及び操作手順等の表示を行う。
【００２０】
１０５は画像読取部であり、ＬＥＤを点灯して画像を読みとり、所定の解像度で光学的に読み取った画像を、電気的な画像信号に変換するコンタクトイメージセンサ（ＣＩＳ）。シェーディングデータを取得するための白基準板、および原稿を搬送する原稿搬送ローラと駆動用の搬送モータ、そして、搬送モータを制御するモータドライバからなる。
【００２１】
１０６は読取画像処理部であり、画像読取部１０５で読み取られた信号をシェーディング補正等を施し，さらに２値化処理，中間調処理等の画像処理を施して高精細な画像データを出力する。
【００２２】
１０７は記録部であり、記録画像処理部、プリンタヘッド、およびプリンタヘッドを駆動させるモータ、および駆動制御を行う駆動制御部からなる。記録画像処理部で走査解像度８ｐｅｌ／ｍｍの生画像データをプリンタの主走査解像度の生画像データに変換するための解像度変換，スムージング，濃度補正等の各種画像処理を施して高精細は画像データに変換し，プリンタヘッドに出力する。
【００２３】
１０８はモデム（変復調装置）であり、G3ファクシミリ用モデム機能を実現するためのものであり、伝送手段信号をやり取りするための低速モデム機能、および、画情報をやり取りするための高速モデムを備えている。
【００２４】
１０９は網制御部であり、このファクシミリ装置を公衆回線に接続するためのものであり、通信回線に対する発呼および着呼などの回線制御を行う。
【００２５】
図２に、本実施例における読み取り動作のフローチャートを示す。
【００２６】
ステップＳ１０１でオペレーターによって原稿がセットされ、読み取り開始のスタートキーが押下されると、ステップＳ１０２で原稿搬送モータにより、原稿を読み取り開始位置まで搬送する。続いて、ステップＳ１０３で間欠点灯読み取りモードがあらかじめ設定されている場合は、ステップＳ１０４で間欠点灯読み取りモードで原稿を読み取り、ステップＳ１０８で２枚目以降の次の原稿が無ければ、読み取り動作を終了し、原稿があれば、ステップＳ１０２に戻る。
【００２７】
一方、ステップＳ１０３で間欠読み取りモードが設定されていない場合は、通常の読み取り動作になる。ステップＳ１０５で画像読み取り部１０５のＬＥＤを点灯して１ライン分の画像データを読み取り、ステップＳ１０６で１ライン分の画像データをメモリに蓄積し、ステップＳ１０７で１ページ分読み取り完了するまで読み取り動作を行う。ステップＳ１０７で１ページ分の読み取りが完了すると、ステップＳ１０８で２枚目以降の次の原稿を確認する。次の原稿が無ければ、読み取り動作を終了し、原稿があれば、ステップＳ１０２に戻る。
【００２８】
図３は間欠点灯モードでの読み取り動作のフローチャートである。
【００２９】
ステップＳ２０１で間欠点灯フラグをＯＮにする。ステップＳ２０２では画像読取部１０５のＣＩＳのＬＥＤを点灯せずに、原稿を１ライン分だけ搬送する。このときＣＩＳはデータを読み取るが、このデータは無効のものである。続いてステップＳ２０３ではＬＥＤを点灯し、1ラインを読み取る。ステップＳ２０４で、ステップＳ２０３で読み取った1ライン分のデータに黒画素があるかどうか判断し、すべてが白画素の場合、ステップＳ２０５でメモリ蓄積動作を行う。ステップＳ２０６で原稿１ページ読み取り完了していない場合はステップＳ２０１に戻り、完了した場合はＳ２１３での原稿排紙処理を行い、終了する。
【００３０】
ステップＳ２０４で読み取ったラインに黒画素がある場合、ステップＳ２０７ではモータを逆転し、2ライン分原稿を逆搬送する。ステップＳ２０８で間欠フラグをＯＦＦにし、ステップＳ２０９ではモータを正転し、画像1ライン分を読み取る。ステップＳ２１０で読み取った1ライン分の画像のメモリ蓄積動作を行い、ステップＳ２１１で原稿１ページ読み取りが完了した場合はＳ２１３での原稿排紙処理を行い、終了する。ステップＳ２１１で原稿1ページの読み取りが完了していない場合は、ステップＳ２１２で所定のライン数、白ラインが続いたかどうか判断する。所定のライン数だけ白ラインが続いてない場合はＳ２０９に戻り、次のラインの読み取りを行う。所定のライン数だけ白ライン数が続いた場合、ステップＳ２０１に戻り、ＬＥＤの点灯を間欠点灯にして、読み取り動作を行う。
【００３１】
図４にメモリ蓄積動作のフローチャートを示す。
【００３２】
ステップＳ３０１で間欠点灯フラグがＯＦＦならば、ステップＳ３０６で1ライン分のデータをメモリに蓄積して終了する。ステップＳ３０１で間欠点灯フラグがＯＮの場合、ステップＳ３０２で画像読取部１０５のＣＩＳのＬＥＤがＯＦＦならば、そのまま終了する。ＬＥＤがＯＮの場合、ステップＳ３０３で、読み取った1ライン分の画像データに黒画素が無い場合は、ステップＳ３０４で２ライン分のラインスキップコマンドをメモリに記憶し、終了する。一方、ステップＳ３０３で1ライン分のデータに黒画素が含まれている場合は、ステップＳ３０５でデータをキャンセルし、終了する。
【００３３】
本実施例ではインクジェットファクシミリ装置だが、原稿を原稿搬送手段によって搬送する、シートスルータイプの画像読取装置であれば構わない。
【図面の簡単な説明】
【００３４】
【図１】本実施例のファクシミリ装置のシステム構成図。
【図２】本実施例における読み取り動作のフローチャート。
【図３】間欠点灯モードでの読み取り動作のフローチャート。
【図４】メモリ蓄積動作のフローチャート。
【符号の説明】
【００３５】
１００  ファクシミリ装置
１０１  制御部
１０２  ＲＯＭ
１０３  ＲＡＭ
１０４  操作表示部
１０５  画像読取部
１０６  画像処理部
１０７  記録部
１０８  モデム
１０９  網制御部
【図１】
2007074533.tif 000003
【図２】
2007074533.tif 000004
【図３】
2007074533.tif 000005
【図４】
2007074533.tif 000006